(57)【要約】      （修正有）【課題】ベルト本体に噛合痕が残らず、構造が簡単で使いやすい着脱可能なベルトを提供する。【解決手段】ベルトは、バックル及びベルト本体を有し、バックルは、一側に固定凹部及び保持凹部を備えるＵ字形の係合座１１が設けられ、他側に係止ロット１２１を備える係止板１２が設けられ、ベルト本体は、着脱可能にバックルに取り付けられ、固定端部２１と、調整端部２２と、固定穴と、複数の位置きめ穴２５を備え、固定端部は、保持凹部に挿入され、調整端部は、固定凹部に挿入され、固定穴は、固定端部の近傍に形成され、固定端部が保持凹部に挿し込まれた時、係止ロットが固定穴に係合され、複数の位置きめ穴は、調整端部の近傍にそれぞれ間隔をおいて一直線に形成され、調整端部が固定凹部に挿入された時、係止ロットがそのうちの１つの位置きめ穴に嵌め込まれて係止される。【選択図】図１
0003207626.tif 000002
【実用新案登録請求の範囲】
【請求項１】
一側に、２つの自由端を備える係合座が設けられると共に、他側に該２つの自由端と連結するするように横方向に一体に組み合わされる係止板が設けられ、該係合座に固定凹部が形成され、該係における、係止板側、且つ前記２つの自由端の間に位置すると共に、該固定凹部と連通する保持凹部が形成され、該係止板における、一方が長手方向に沿って係合座側へ延出し、他方が長手方向に沿って係合座と反対する側へ延出し、係合座に面する側に係止ロットが凸設される、バックルと、
着脱可能に前記バックルに取り付けられ、固定端部と、調整端部と、固定穴と、複数の位置きめ穴を備え、そのうち、固定端部は、バックルの係合座側から保持凹部に挿入されて係止板の一側に保持され、該調整端部は、固定端部に連接され、該バックルの、係合座と反対する側から係止板の一側を通って係合座の固定凹部に挿入され、該固定穴は、固定端部の近傍に形成され、該固定端部が保持凹部に挿し込まれた時、該固定穴に係止ロットが係合されて該固定端部を係止板に位置決めて固定し、該複数の位置きめ穴は、調整端部の近傍にそれぞれ間隔をおいて一直線に形成され、該調整端部が固定凹部に挿入された時、そのうちの１つの位置きめ穴に係止ロットが嵌め込まれて係止される、ベルト本体を有することを特徴とする着脱可能なベルト。
【請求項２】
前記保持凹部の幅が前記固定凹部の幅よりも大きく設定され、
前記固定端部の幅が保持凹部の幅と一致し、該固定端部が保持凹部にきつく嵌め込まれ、
前記調整端部の幅が固定凹部の幅と一致し、該調整端部が固定凹部にきつく嵌め込まれ、
前記固定端部と調整端部との間に介在部が設けられ、該介在部によって幅の異なる固定端部及び調整端部を連接することを特徴とする請求項１に記載の着脱可能なベルト。
【請求項３】
前記ベルト本体の固定端部の近傍に介在部が設けられることを特徴とする請求項１または２に記載の着脱可能なベルト。
【請求項４】
前記ベルト本体の調整端部の近傍に介在部が設けられることを特徴とする請求項１または２に記載の着脱可能なベルト。
【請求項５】
前記ベルト本体の両側表面が異なる色彩となることを特徴とする請求項３または４に記載の着脱可能なベルト。
【請求項６】
前記係合座がＵ字形を呈し、前記係止板が矩形を呈することを特徴とする請求項５に記載の着脱可能なベルト。
【考案の詳細な説明】
【技術分野】
【０００１】
本考案は、特に使用し易い、着脱可能なベルトに関するものである。
【背景技術】
【０００２】
従来のベルトは、バックル及びベルト本体を備え、該バックルは、歯部を備えた係合座によってベルト本体に係止され、或いは、バックルの基座に螺嵌された係合座によってベルト本体に係止されることにより、ウェスト部に着用するものである。
【先行技術文献】
【特許文献】
【０００３】
【特許文献１】実用新案登録第３０８８５９２号公報
【考案の概要】
【考案が解決しようとする課題】
【０００４】
しかしながら、従来のベルトは、ウエストに着用することはできるが、係合座の歯部がベルト本体に食い込むことによって所定の長さを保持する方法を用いると、ベルト本体の一面に噛合痕が残って破損しやすくなると共に、その噛合痕がある一面を外側とすることができないため、ベルトの使用方法が制限されたことから、実用性が低下してしまう。
【０００５】
一方、従来のベルトのバックルの基座に係合座が螺嵌されたタイプは、ベルト本体を所定の長さに維持する時、ベルト本体の表面に噛合痕が残らないことから、両側のいずれの面も外側とすることができるが、バックルの組み立て部品が多くなるので、組み立ての手間や生産コストがかかり、また、ベルトを長時間に亘って頻繁に使用すると、緩みやすくなるとの問題があるが、ベルトのバックルを交換しようとしても、構造が複雑で取り替えにくく、その上、交換には工具を使用する必要があることから、使用上非常に不便であるので、改良する必要があった。
【課題を解決するための手段】
【０００６】
本考案に係る着脱可能なベルトは、
一側に、２つの自由端を備える係合座が設けられると共に、他側に該２つの自由端と連結するするように横方向に一体に組み合わされる係止板が設けられ、該係合座に固定凹部が形成され、該係合座における、係止板側、且つ前記２つの自由端の間に位置すると共に、該固定凹部と連通する保持凹部が形成され、該係止板における、一方が長手方向に沿って係合座側へ延出し、他方が長手方向に沿って係合座と反対する側へ延出し、係合座に面する側に係止ロットが凸設される、バックルと、
着脱可能に前記バックルに取り付けられ、固定端部と、調整端部と、固定穴と、複数の位置きめ穴を備え、そのうち、固定端部は、バックルの係合座側から保持凹部に挿入されて係止板の一側に保持され、該調整端部は、固定端部に連接され、該バックルの、係合座と反対する側から係止板の一側を通って係合座の固定凹部に挿入され、該固定穴は、固定端部の近傍に形成され、該固定端部が保持凹部に挿し込まれた時、該固定穴に係止ロットが係合されて該固定端部を係止板に位置決めて固定し、該複数の位置きめ穴は、調整端部の近傍にそれぞれ間隔をおいて一直線に形成され、該調整端部が固定凹部に挿入された時、そのうちの１つの位置きめ穴に係止ロットが嵌め込まれて係止される、ベルト本体を有する。
【０００７】
かかる着脱可能なベルトにおいて、
前記保持凹部の幅が前記固定凹部の幅よりも大きく設定され、
前記固定端部の幅が保持凹部の幅と一致し、該固定端部が保持凹部にきつく嵌め込まれ、
前記調整端部の幅が固定凹部の幅と一致し、該調整端部が固定凹部にきつく嵌め込まれ、
前記固定端部と調整端部との間に介在部が設けられ、該介在部によって幅の異なる固定端部及び調整端部を連接することが好ましい。
【０００８】
かかる着脱可能なベルトにおいて、前記ベルト本体の固定端部の近傍に介在部が設けられることが好ましい。
【０００９】
かかる着脱可能なベルトにおいて、前記ベルト本体の調整端部の近傍に介在部が設けられることが好ましい。
【００１０】
かかる着脱可能なベルトにおいて、前記ベルト本体の両側表面が異なる色彩となることが好ましい。
【００１１】
かかる着脱可能なベルトにおいて、前記係合座がＵ字形を呈し、前記係止板が矩形を呈することが好ましい。
【考案の効果】
【００１２】
本考案の着脱可能なベルトによれば、ベルト本体２０は主に、（幅が大きい）固定端部２１が（幅が大きい）保持凹部１１２に挿し込まれて固定穴２４に係止ロット１２１が係合されると共に、（幅が小さい）調整端部２２が（幅が小さい）固定凹部１１１に挿し込まれて対応する１つの位置きめ穴２５に係止ロット１２１が係止されることによって、ベルトをウエストに合う長さに調整することができるので、所定の長さを維持することができる。
【００１３】
本考案の着脱可能なベルトにおいては、ベルト本体２０の固定端部２１がバックル１０の係合座１１の保持凹部１１２に、調整端部２２が固定凹部１１１に挿し込まれて、ベルト本体２０の両端がしっかりとバックル１０の係合座１１に固定されることから、所定の長さで環状に固定したベルトが緩んだりずれたりすることはなく、さらに、ベルト本体２０の固定穴２４に係止板１２の係止ロット１２１が係止されると、ベルト本体２０の固定端部２１が位置決められ、ベルト本体２０の複数の位置きめ穴２５のうちの１つに係止板１２の係止ロット１２１が係止されると、ベルト本体２０の調整端部２２が位置決められ、すなわち、ベルト本体２０の一端を固定してから所望の長さに調整して他端を固定する。
【００１４】
本考案の着脱可能なベルトは、従来のベルトと異なり、歯部をベルト本体に食い込ませて所定の長さに維持するものではないことから、ベルト本体に噛合痕が残らないので、破損することはなく、更に、本考案のベルト本体２０の両側表面を異なる色彩や模様にして、使用者が好みによって自由に選べるようにできるので、デザイン性が向上する。
【００１５】
本考案の着脱可能なベルトは、構造は非常に単純であり、従来のベルトに比べて部品数が少ないので、生産コストを大幅に低減でき、ベルト本体２０を所定の長さに調整した後、ベルト本体２０をしっかりとバックル１０に係止して固定できることから、ベルトを長時間に亘って頻繁に使用しても緩むことはない。
【００１６】
本考案の着脱可能なベルトは、従来の螺合手段で組み立てたものではないことから、工具を使わずにベルト本体２０の全体をバックル１０から取り外すことができ、更に、使用者はベルト本体を自分の好みによって好きな色彩または模様を有するものに自由に交換することができる。
【図面の簡単な説明】
【００１７】
【図１】本考案に係る着脱可能なベルトの第一実施例の部分斜視図である。
【図２】本考案に係る着脱可能なベルトの第一実施例の部分分解斜視図である。
【図３】本考案に係る着脱可能なベルトの第一実施例におけるバックルの斜視図である。
【図４】本考案に係る着脱可能なベルトの第一実施例の使用状態を示す部分斜視図である。
【図５】本考案に係る着脱可能なベルトの第一実施例の使用状態を示す側面断面図である。
【図６】本考案に係る着脱可能なベルトの第一実施例の表面を示す正面図である。
【図７】本考案に係る着脱可能なベルトの第一実施例の他の表面を示す正面図である。
【図８】本考案に係る着脱可能なベルトの第二実施例の正面図である。
【考案を実施するための形態】
【００１８】
図１乃至図３に示すように、本考案に係る着脱可能なベルトの第一実施例は、バックル１０及びベルト本体２０を有し、そのうち、バックル１０は、一側に、Ｕ字形を呈し、２つの自由端を備える階段状の係合座１１が設けられると共に、他側に矩形のプレートである係止板１２が設けられ、該係合座１１に固定凹部１１１が形成され、該係合座１１における、係止板１２側、且つ前記２つの自由端の間に位置し、該固定凹部１１１と連通し、図２に示した上下方向の幅が該固定凹部１１１の幅よりも大径の保持凹部１１２が形成され、これにより、断面Ｕ字形で階段状の係合座１１が構成される。
【００１９】
前記係止板１２は、横方向に係合座１１と一体に形成され、係合座１１の２つの自由端と連結するように組み合わされ、一方が長手方向に沿って係合座１１の近傍から延出すると共に、他方が長手方向に沿って係合座１１と反対する側へ伸び、係合座１１に面する側に係止ロット１２１が凸設され、該係止ロット１２１の長さは、保持凹部１１２及び固定凹部１１１の全ての厚さよりも小さい設定となっている。
【００２０】
前記ベルト本体２０は、着脱可能にバックル１０に取り付けられ、固定端部２１と、調整端部２２と、介在部２３と、固定穴２４と、複数の位置きめ穴２５を備え、そのうち、固定端部２１は、バックル１０の係合座１１側から保持凹部１１２に挿入されて係止板１２の係止ロット１２１側に保持され、また、該固定端部２１の図２に示した上下方向の幅は保持凹部１１２の幅と一致するため、該固定端部２１を保持凹部１１２にしっかりと嵌め込むことができる。
図４及び図５に示すように、前記調整端部２２は、固定端部２１に連接されると共に、バックル１０の係止ロット１２１側から係止板１２の一側を通して係合座１１の固定凹部１１１に挿入し、一方、該調整端部２２の図２に示した上下方向の幅は固定凹部１１１の幅と一致するため、該調整端部２２は固定凹部１１１にしっかりと嵌め込まれる。
前記介在部２３は、固定端部２１と調整端部２２との間に設けられ、幅の異なる固定端部２１と調整端部２２を連結する。
前記ベルト本体２０における、固定端部２１と調整端部２２との幅が異なると共に、固定端部２１の幅が保持凹部１１２の幅と一致すると共に、調整端部２２の幅が固定凹部１１１の幅と一致することから、前記ベルト本体２０がバックル１０に挿入されて互いに係止されるので、ベルトを所定の長さに維持することができる。
【００２１】
尚、図１の第一実施例に示すように、前記介在部２３は、固定端部２１の近傍に設けられてもよく、図８の第二実施例に示すように調整端部２２の近傍に設けられてもよい。
また、図６及び図７に示すように、前記ベルト本体２０の両側表面を異なる色彩または模様とし、使用者が自分の好みによって気に入った色彩または模様を外側にしてベルトを着用してもよい。
【００２２】
前記固定穴２４は、ベルト本体２０の固定端部２１の近傍に形成され、該固定端部２１が保持凹部１１２に挿し込まれた時、該固定穴２４に係止ロット１２１が係合されることから、固定端部２１を係止板１２にしっかとり位置決めることができる。また、前記複数の位置きめ穴２５は、ベルト本体２０における調整端部２２の近傍にそれぞれ間隔をおいて一直線に形成され、該調整端部２２が固定凹部１１１に挿入されると、何れかの１つの位置きめ穴２５に係止ロット１２１が係止され、すなわち、使用者がベルトの長さを決めて適当な位置きめ穴２５に係止ロット１２１を係止すると、調整端部２２を係止板１２に位置決め固定することができる。
【００２３】
すなわち、本考案の着脱可能なベルトのベルト本体２０は、（幅が大きい）固定端部２１が（幅が大きい）保持凹部１１２に挿し込まれて固定穴２４により係止ロット１２１が係合されると共に、（幅が小さい）調整端部２２が（幅が小さい）固定凹部１１１に挿し込まれて、対応する１つの位置きめ穴２５により係止ロット１２１が係止されることによって、ベルトをウエストに合う長さに調整できると共に、その長さをしっかりと維持することができる。
本考案の着脱可能なベルトにおいては、ベルト本体２０の固定端部２１をバックル１０の係合座１１の保持凹部１１２に、調整端部２２を固定凹部１１１に挿し込むと、ベルト本体２０の両端がしっかりとバックル１０の係合座１１に固定されることから、ベルトが緩んだりずれたりすることはなく、さらに、ベルト本体２０の固定穴２４に係止板１２の係止ロット１２１が係止されると、ベルト本体２０の固定端部２１を位置決めて固定し、ベルト本体２０の複数の位置きめ穴２５のうちの１つに係止板１２の係止ロット１２１が係止されると、ベルト本体２０の調整端部２２を位置決めて固定する。すなわち、この構成によると、ベルト本体２０の一端を固定してから所望の長さに調整して他端を固定する。
【００２４】
本考案の着脱可能なベルトは、上述した構造を有するので、以下に示すような効果を奏する。
１．本考案の着脱可能なベルトは、従来のベルトと異なり、歯部をベルト本体に食い込ませて所定の長さに維持するものではないことから、ベルト本体に噛合痕が付かないので、破損する虞はない。故に、本考案のベルト本体２０の両側表面に異なる色彩または模様にし、それを使用者が好みによって自由に選んで使用できるので、デザイン性が向上すると共に、従来のベルトが片面しか使用できないという欠点を解決することができる。
２．本考案の着脱可能なベルトは、構造が極めて単純であり、従来のベルトに比べて部品数が少ないことから、生産コストを大幅に低減できる。
３．本考案の着脱可能なベルトは、従来の螺合手段で組み立てたものとは異なり、工具を使わずにベルト本体２０の全体をバックル１０から取り外すことができることから、使用者は自分の好みによって好きな色彩または模様のベルトに自由に交換することができる。
【符号の説明】
【００２５】
１０ バックル
１１ 係合座
１１１ 固定凹部
１１２ 保持凹部
１２ 係止板
１２１ 係止ロット
２０ ベルト本体
２１ 固定端部
２２ 調整端部
２３ 介在部
２４ 固定穴
２５ 位置きめ穴
【図１】
0003207626.tif 000003
【図２】
0003207626.tif 000004
【図３】
0003207626.tif 000005
【図４】
0003207626.tif 000006
【図５】
0003207626.tif 000007
【図６】
0003207626.tif 000008
【図７】
0003207626.tif 000009
【図８】
0003207626.tif 000010
【手続補正書】
【提出日】平成28年9月15日(2016.9.15)
【手続補正１】
【補正対象書類名】実用新案登録請求の範囲
【補正対象項目名】請求項１
【補正方法】変更
【補正の内容】
【請求項１】
一側に、２つの自由端を備える係合座が設けられると共に、他側に該２つの自由端と連結するするように横方向に一体に組み合わされる係止板が設けられ、該係合座に固定凹部が形成され、該係合座における、係止板側、且つ前記２つの自由端の間に位置すると共に、該固定凹部と連通する保持凹部が形成され、該係止板における、一方が長手方向に沿って係合座側へ延出し、他方が長手方向に沿って係合座と反対する側へ延出し、係合座に面する側に係止ロットが凸設される、バックルと、
着脱可能に前記バックルに取り付けられ、固定端部と、調整端部と、固定穴と、複数の位置きめ穴を備え、そのうち、固定端部は、バックルの係合座側から保持凹部に挿入されて係止板の一側に保持され、該調整端部は、固定端部に連接され、該バックルの、係合座と反対する側から係止板の一側を通って係合座の固定凹部に挿入され、該固定穴は、固定端部の近傍に形成され、該固定端部が保持凹部に挿し込まれた時、該固定穴に係止ロットが係合されて該固定端部を係止板に位置決めて固定し、該複数の位置きめ穴は、調整端部の近傍にそれぞれ間隔をおいて一直線に形成され、該調整端部が固定凹部に挿入された時、そのうちの１つの位置きめ穴に係止ロットが嵌め込まれて係止される、ベルト本体を有することを特徴とする着脱可能なベルト。